(57)【要約】顧客の決めた期間の間のみに顧客の決めた金額が引出されるか、信用決済され得る仮想カードを提供することで、 カード盗用及び紛失の危険を予防することのできる仮想カードサービスシステム及び方法を提供する。本発明の仮想カードサービスシステムは、仮想キャッシュカードに対して引出金額及び引出期間を設定されて転送するためのユーザ端末機と、 前記ユーザ端末機から前記引出金額及び前記引出期間が提供されると、前記仮想キャッシュカードに対応付けて予め決めておいた母口座に前記引出金額が預置されているかを確認し、 前記引出金額が前記母口座に預置されていると、前記引出金額及び前記引出期間に対する情報を格納した後、前記ユーザ端末機に承認を報知する仮想キャッシュカードシステムと、 前記仮想キャッシュカードの識別情報が入力されると、前記仮想キャッシュカードシステムに格納された前記引出期間内なのかを確認して、前記引出期間内であれば、前記引出金額を前記母口座から引出する金融自動化機器とを具備することを特徴とする。
2006500681.tif 000002
【特許請求の範囲】
【請求項１】
仮想カードサービスシステムにおいて、
仮想キャッシュカードに対して引出金額及び引出期間を選択されて転送するユーザ端末機と、
前記ユーザ端末機から前記引出金額及び前記引出期間が提供されると、 前記仮想キャッシュカードに対応付けて予め決めておいた母口座に前記引出金額が預置されているかを確認し、前記引出金額が前記母口座に預置されていると、前記引出金額及び前記引出期間に対する情報を格納した後、前記ユーザ端末機に承認を報知する仮想キャッシュトカードシステムと、
前記仮想キャッシュカードの識別情報が入力されると、前記仮想キャッシュカードシステムに格納された前記引出期間内なのかを確認して、 前記引出期間内であれば、前記引出金額を前記母口座から引出する金融自動化機器とを具備することを特徴とする仮想カードサービスシステム。
【請求項２】
前記仮想キャッシュカードシステムが、
前記仮想キャッシュカード識別番号による引出要請ではない場合は、前記格納された引出期間の間、前記母口座から前記格納された引出金額が引出されないように金融機関に要請することを特徴とする請求項１に記載の仮想カードサービスシステム。
【請求項３】
前記仮想キャッシュカードの識別情報は、
前記ユーザ端末機が無線通信して入力するか、
前記ユーザ端末機に取り付けられたバーコード又はマグネチックテープ、 ICチップを読み取るようにするか、
前記顧客がキー入力することを特徴とする請求項１に記載の仮想カードサービスシステム。
【請求項４】
前記仮想キャッシュトカードシステムは、
前記ユーザ端末機から前記引出金額及び前記引出期間が提供されると、
引出金額及び引出期間が初期化されている仮想キャッシュカードの情報に前記引出金額及び前記引出期間を付加し、
前記引出金額が前記引出期間内に引出されるか、前記引出期間が満了すると、前記仮想キャッシュカードの情報の引出金額及び引出期間を初期化させることを特徴とする請求項１に記載の仮想カードサービスシステム。
【請求項５】
仮想カードサービスシステムにおいて、
仮想クレジットカードに対して購買金額及び購買期間を選択されて転送するユーザ端末機と、
前記ユーザ端末機から前記購買金額及び前記購買期間が提供されると、 前記仮想クレジットカードに対応付けて予め決めておいた母クレジットカードを認証し、その認証が成功すると、前記購買金額及び前記購買期間に対する情報を格納した後、前記ユーザ端末機に承認を報知する仮想クレジットカードシステムと、
前記仮想クレジットカードの識別情報が入力されると、前記仮想クレジットカードシステムに格納された前記購買期間内なのかを確認し、 前記購買期間内であれば、前記購買金額を前記母クレジットカードで決済処理するクレジットカード端末機とを具備することを特徴とする仮想カードサービスシステム。
【請求項６】
前記仮想クレジットカードの識別情報は、
前記ユーザ端末機が無線通信して入力するか、
前記ユーザ端末機に取り付けられたバーコード又はマグネチックテープ、 ICチップを読み取るようにするか、
前記顧客がキー入力することを特徴とする請求項５に記載の仮想カードサービスシステム。
【請求項７】
前記仮想クレジットカードシステムは、
前記ユーザ端末機から前記購買金額及び前記購買期間が提供されると、
購買金額及び購買期間が初期化されている仮想クレジットカードの情報に前記購買金額及び前記購買期間を付加し、
前記購買金額が前記購買期間内に信用決済されるか、前記購買期間が満了すると、前記仮想クレジットカードの情報の購買金額及び購買期間を初期化させることを特徴とする請求項５に記載の仮想カードサービスシステム。
【請求項８】
仮想カードサービス方法において、
ユーザ端末機を通じて仮想キャッシュカードに対する引出金額及び引出期間を選択されて転送するステップと、
前記引出金額及び前記引出期間が提供されると、前記仮想キャッシュカードに対応付けて予め決めておいた母口座に前記引出金額が預置されているかを確認し、 前記引出金額が前記母口座に預置されていると、前記引出金額及び前記引出期間に対する情報を格納した後、前記ユーザ端末機に承認を報知するステップと、
前記承認が報知された後、前記仮想キャッシュカードの識別情報が金融自動化機器に入力されると、前記格納された前記引出期間内なのかを確認し、前記引出期間内であれば、前記引出金額を前記母口座から引出するステップとを具備することを特徴とする仮想カードサービス方法。
【請求項９】
仮想カードサービス方法において、
ユーザ端末機を通じて仮想クレジットカードに対して購買金額及び購買期間を選択されて転送するステップと、
前記ユーザ端末機から前記購買金額及び前記購買期間が仮想クレジットカードシステムに提供されると、 前記仮想クレジットカードに対応付けて予め決めておいた母クレジットカードを認証した後、前記購買金額及び前記購買期間に対する情報を格納した後、前記ユーザ端末機に承認を報知するステップと、
前記承認の後に、仮想クレジットカードの識別情報がクレジットカード端末機に入力されると、前記購買期間内なのかを確認し、前記購買期間内であれば、前記購買金額を前記母クレジットカードで決済処理するステップとを具備することを特徴とする仮想カードサービス方法。
【請求項１０】
仮想カードサービス方法において、
ユーザ端末機を通じて仮想クレジットカードに対して購買金額及び購買期間、 加盟店情報を選択されて転送するステップと、
前記ユーザ端末機から前記購買金額及び前記購買期間、 前記加盟店情報が仮想クレジットカードシステムに提供されると、前記仮想クレジットカードシステムが前記仮想クレジットカードに対応付けて予め決めておいた母クレジットカード及び前記加盟店情報に対応される加盟店を認証し、 その認証に成功すると、前記購買金額及び前記購買期間に対する情報を格納した後、前記ユーザ端末機に承認を報知するステップと、
前記承認の後に、仮想クレジットカードシステムが前記加盟店内に設けられたクレジットカード端末機で購買内訳が含まれた取引明細票を出力するように指示するステップとを具備することを特徴とする仮想カードサービス方法。
【請求項１１】
仮想カードサービスシステムにおいて、
一つの母口座又は母クレジットカードに付与された多数の仮想カード中、マスターカードのユーザから前記多数の仮想カードのいずれか一つに対する使用金額及び使用期間を選択されて転送するユーザ端末機と、
前記ユーザ端末機から前記多数の仮想カードのうちの選択された仮想カードに対する使用金額及び使用期間が提供されると、前記マスターカードの母口座又は母クレジットカードを認証し、前記認証に成功すると、前記多数の仮想カードのうちの選択された仮想カードに対する情報に使用金額及び使用期間を格納した後、前記ユーザ端末機に承認を報知する仮想カードシステムと、
前記承認の後に、前記選択された仮想カードの識別情報が入力されると、前記仮想カードシステムに格納された使用期間内なのかを確認し、 前記使用期間内であれば、前記使用金額に対して引出又は決済するカードサービス機器とをを具備することを特徴とする 仮想カードサービスシステム。
【請求項１２】
前記ユーザ端末機は、
前記多数の仮想カードのユーザ端末機のいずれか一つからの認証要請に応じて当該の仮想カードの使用金額及び使用期間を選択して転送することを特徴とする請求項１１に記載の仮想カードサービスシステム。
【請求項１３】
仮想カードサービス方法において、
一つの母口座又は母クレジットカードに付与された多数の仮想カード中、マスターカードのユーザ端末機から前記多数の仮想カードのいずれか一つに対する使用金額及び使用期間を選択されて転送するステップと、
前記ユーザ端末機から前記多数の仮想カードのうちの選択された仮想カードに対する使用金額及び使用期間が提供されると、前記マスターカードの母口座又は母クレジットカードを認証し、 前記認証に成功すると、前記多数の仮想カードのうちの選択された仮想カードに対する情報に使用金額及び使用期間を格納した後、前記ユーザ端末機に承認を報知するステップと、
前記承認の後に、前記選択された仮想カードの識別情報が入力されると、前記格納された使用期間内なのかを確認し、 前記使用期間内であれば、前記使用金額に対して引出又は決済するステップとを具備することを特徴とする仮想カードサービス方法。
【請求項１４】
前記マスターカードのユーザ端末機は、前記多数の仮想カードのユーザ端末機のいずれか一つからの認証要請に応じて当該の仮想カードの使用金額及び使用期間を選択して転送することを特徴とする請求項１３に記載の仮想カードサービス方法。
【発明の詳細な説明】
【技術分野】
【０００１】
本発明は、カードサービスに関するもので、 特に、仮想カードサービスシステム及び方法に関するものである。
【背景技術】
【０００２】
一般に、常用されているカードサービスには、クレジットカードサービスやキャッシュカードサービスなどがある。
【０００３】
前記クレジットカードサービスについて簡略に説明すれば、 クレジットカード端末機は、顧客が商品に対する代金を支払おうと提示したクレジットカードの情報を読み取る。前記クレジットカード端末機は、前記読み取ったクレジットカードの情報及び加盟店の店員が入力する決済関連情報をカード社に提供して承認を要請する。前記カード社は、前記提供されたクレジットカードの情報及び決済関連の情報を元にして認証した後、 承認を報知する。前記承認が正常になされると、 前記クレジットカード端末機は、カード売上げ伝票を出力し、前記顧客は、前記伝票に顧客認証(Sign)を行う。前記顧客認証が完了すると、顧客は、決済の結果物として、前記伝票中の一枚を提供され、これにより、レジットカードを通じる決済過程が完了する。
【０００４】
このようなクレジットカードによる決済方法は、簡便であり、広く常用化されているが、二重売上げ、クレジットカードの盗用、紛失の危険などが存在した。
【０００５】
そして、前記キャッシュカードサービスを簡略に説明すれば、金融自動化機器は、金融口座が連携されているキャッシュカードの情報を読み取ると共に、顧客が入力する暗証番号を金融電算システムに提供する。前記金融電算システムは、前記キャッシュカードの情報と暗証番号とを元に認証を行った後、 顧客が要請する現金を当該の顧客の口座から引出して明細書を出力する。
【０００６】
しかし、前述したキャッシュカードサービスを提供されるためには、利用顧客が多数である金融自動化機器を必ず使用するので、 このようなキャッシュカードサービスは、待機時間が多くかかり、暗証番号の露出の危険もあった。
【０００７】
これによリ、従来には、便利ながらも保安性に優れたカードサービス方法の開発が要望されていた。
【発明の開示】
【発明が解決しようとする課題】
【０００８】
本発明の目的は、顧客の決めた期間の間のみに顧客の決めた金額が引出されるか、信用決済され得る仮想カードを提供することで、 カード盗用及び紛失の危険を予防することのできる仮想カードサービスシステム及び方法を提供することにある。
【０００９】
また、本発明の他の目的は、前記仮想カードに対するカード識別情報を金融自動化機器に手軽に入力できるようにすることで、金融自動化機器の利用時間を縮めると共に、個人情報露出の危険を最小化できる仮想カードサービスシステム及び方法を提供することにある。
【００１０】
また、本発明の更に他の目的は、仮想カードを通じて保安を維持しながらも使い勝手のよい仮想カードサービスシステム及び方法を提供することにある。
【００１１】
また、本発明の更に他の目的は、顧客が仮想カードを紛失しても、他人によって再使用できなくすることで、高い安定性を提供することのできる仮想カードサービスシステム及び方法を提供することにある。
【課題を解決するための手段】
【００１２】
前述した目的を達成するための本発明の仮想カードサービスシステムは、 仮想キャッシュカードに対して引出金額及び引出期間を設定されて転送するためのユーザ端末機と、 前記ユーザ端末機から前記引出金額及び前記引出期間が提供されると、前記仮想キャッシュカードに対応付けて予め決めておいた母口座に前記引出金額が預置されているかを確認し、 前記引出金額が前記母口座に預置されていると、前記引出金額及び前記引出期間に対する情報を格納した後、前記ユーザ端末機に承認を報知する仮想キャッシュカードシステムと、 前記仮想キャッシュカードの識別情報が入力されると、前記仮想キャッシュカードシステムに格納された前記引出期間内なのかを確認して、 前記引出期間内であれば、前記引出金額を前記母口座から引出する金融自動化機器とを具備することを特徴とする
【発明を実施するための最良の形態】
【００１３】
本発明の望ましい実施例による仮想カードサービスシステムは、仮想キャッシュカードサービスと仮想クレジットカードサービスとを提供し、図１は、前述した仮想カードサービスシステムの構成図を示すものである。
【００１４】
前記仮想キャッシュカードシステム１００は、移動通信端末機１０８などを通じて接続する顧客の要請に応じて母口座に連携されている仮想キャッシュカードの引出金額、 引出期間などを調整し、 前記仮想キャッシュカードを通じて顧客を認証して前記引出期間内に前記引出金額を金融自動化機器１０４を通じて顧客に引出する。ここで、前記仮想キャッシュカードシステム１００は、前記母口座の預置金額の照合、 引出制限などのためにネットワークを通じて金融機関１１２に連結される。前記金融自動化機器１０４は、一般的な金融自動化サービスを提供すると共に、本発明の望ましい実施例による仮想キャッシュカードサービスを提供する。
【００１５】
前記金融自動化機器１０４の構成図を示す図２を参照すれば、 前記金融自動化機器１０４は、一般的な金融自動化サービス及び仮想キャッシュカードサービスを提供する制御部２００と、 キーパッドやタッチパネルなどで顧客と前記制御部２００との間をインターフェースするユーザインターフェース２０２と、 移動通信端末機１０８に備えられる仮想キャッシュカードの識別情報を認識する仮想キャッシュカード識別情報認識装置２０４と、 前記制御部２００の処理プログラム及び各種設定情報を格納するメモリ部２０６と、 ネットワークを通じて金融機関又は仮想キャッシュカードシステム１００とのインターフェースを担当するネットワークインターフェース２０８とから構成される。ここで、前記移動通信端末機１０８は、仮想キャッシュカードの識別情報を前記金融自動化機器１０４に赤外線送信することができ、 この場合、前記仮想キャッシュカード識別情報認識装置２０４は赤外線受信機がなり得る。これと異なり、前記移動通信端末機１０８の所定の位置に仮想キャッシュカードの識別情報に対応するバーコードを取り付けることもでき、 この場合、前記仮想キャッシュカード識別情報認識装置２０４はバーコードリーダーがなり得る。そして、前記移動通信端末機１０８の所定の位置に仮想キャッシュカードの識別情報が記録されたマグネチックテープを取り付けることもでき、 この場合、前記仮想キャッシュカード識別情報認識装置２０４はカードリーダーがなり得る。そして、前記移動通信端末機１０８の所定の位置に仮想キャッシュカードの識別情報が記録されたICチップを取り付けることもでき、 この場合、前記仮想キャッシュカード識別情報認識装置２０４は、ICチップリーダーがなり得る。
【００１６】
そして、仮想クレジットカードシステム１０２は、移動通信端末機１０８などを通じて接続する顧客の要請に応じて母カードに連携されている仮想クレジットカードの引出金額、引出期間などを調整し、 前記仮想クレジットカードを通じて顧客を認証して前記購買期間内に前記購買金額をクレジットカード端末機１０６を通じて決済する。
【００１７】
前記クレジットカード端末機１０６は、一般的なクレジットカード決済サービスを提供すると共に、本発明の望ましい実施例による仮想クレジットカードサービスを提供する。前記クレジットカード端末機１０６の構成図を示す図３を参照すれば、 前記クレジットカード端末機１０６は、クレジットカード決済サービス及び仮想クレジットカードサービスを提供する制御部３００と、 キーパッドやタッチパネルなどで加盟店の店員と前記制御部３００との間をインターフェースするユーザインターフェース３０２と、 移動通信端末機１０８に備えられた仮想クレジットカードの識別情報を認識する仮想クレジットカード識別情報認識装置３０４と、 前記制御部３００の処理プログラム及び各種設定情報を格納するメモリ部３０６と、ネットワークを通じてカード社１１０又は仮想クレジットカードシステム１０２とのインターフェースを担当するネットワークインターフェース３０８とから構成される。
【００１８】
ここで、前記移動通信端末機１０８は、仮想クレジットカードの識別情報を前記金融自動化機器１０４に赤外線送信することができ、 この場合、前記仮想クレジットカード識別情報認識装置３０４は赤外線受信機がなり得る。これと異なり、前記移動通信端末機１０８の所定の位置に仮想クレジットカードの識別情報に対応するバーコードを取り付けることもでき、 この場合、前記仮想クレジットカード識別情報認識装置３０４はバーコードリーダーがなり得る。そして、前記移動通信端末機１０８の所定の位置に仮想クレジットカードの識別情報が記録されたマグネチックテープを取り付けることもでき、 この場合、前記仮想クレジットカード識別情報認識装置３０４はカードリーダーがなり得る。そして、前記移動通信端末機１０８の所定の位置に仮想クレジットカードの識別情報が記録されたICチップを取り付けることもでき、 この場合、前記仮想クレジットカード識別情報認識装置３０４はICチップリーダーがなり得る。
【００１９】
前記移動通信端末機１０８は、本発明の望ましい実施例による仮想キャッシュカード又は仮想クレジットカードサービスを提供されるための設定プログラムら及び情報を備える。また、前記移動通信端末機１０８は、前記金融自動化機器１０４に仮想キャッシュカードの識別情報を提供するか、 前記クレジットカード端末機１０６に仮想クレジットカードの識別情報を提供する。前記仮想キャッシュカードの識別情報又は仮想クレジットカードの識別情報の提供方法は、赤外線送信、 バーコード、 マグネチックテープ、ICチップ方式を用いる。
【００２０】
以下、前述した仮想カードサービスシステムに適用可能な本発明の望ましい仮想カードサービス方法を詳しく説明する。
【００２１】
まず、本発明の望ましい実施例による仮想カードサービスを提供されるために、顧客は、金融機関などから仮想キャッシュカード又は仮想クレジットカードの発給を申請する。前記金融機関は、前記顧客の申請に応じて仮想キャッシュカード又は仮想クレジットカードを付与する。
【００２２】
ここで、前記仮想キャッシュカードサービスの際に必要な情報は、顧客ID、 仮想キャッシュカードの識別情報、 母口座番号、 母口座の有効期間、 引出金額、 引出期間、 暗証番号などになり得る。前記情報のうち、顧客ID、仮想キャッシュカードの識別情報などは、移動通信端末機１０８及び仮想キャッシュカードシステム１００に共有され、 母口座番号、母口座の有効期間、 暗証番号は、仮想キャッシュカードシステム１００に登録され、 前記引出金額、引出期間は、顧客のサービスの利用時のみに移動通信端末機１０８及び仮想キャッシュカードシステム１００に共有される。そして、前記仮想クレジットカードサービスの際に必要な情報は、顧客ID、仮想クレジットカードの識別情報、 母クレジットカード番号、母クレジットカードの有効期間、 購買金額、 購買期間、 暗証番号、加盟店番号などになり得る。前記情報のうち、顧客ID、仮想クレジットカードの識別情報などは、移動通信端末機１０８及び仮想クレジットカードシステム１０２に共有され、 母クレジットカード番号、 母クレジットカードの有効期間、暗証番号は、仮想クレジットカードシステム１０２に登録され、前記購買金額、購買期間、加盟店番号は、顧客のサービスの利用時のみに移動通信端末機１０８及び仮想クレジットカードシステム１０２に共有される。
【００２３】
そして、金融機関は、前記仮想キャッシュカード又は仮想クレジットカードを付与する際に、 当該の仮想キャッシュカード又は仮想クレジットカードの識別情報などを顧客の移動通信端末機に直接提供するか、 仮想キャッシュカード又は仮想クレジットカードの識別情報が記録されたバーコード、マグネチックテープ、ICチップなどの形態で提供して、顧客が移動通信端末機に取り付けるようにすることができる。
【００２４】
以下、前記仮想キャッシュカードのサービス方法を図５乃至図７を参照して説明する。仮想キャッシュカードサービスを提供されようとする顧客は、移動通信端末機１０８の仮想キャッシュカードの設定プログラムを駆動して、引出金額及び引出期間を設定し、暗証番号を入力する(ステップ４００乃至４０４)。前記移動通信端末機１０８は、前記顧客が入力した引出金額及び引出期間、暗証番号、仮想キャッシュカードの識別情報を仮想キャッシュカードシステム１００に転送すると共に、承認を要請する(ステップ４０６)。前記移動通信端末機１０８は、前記承認要請後に、仮想キャッシュカードシステム１００が承認を通知すると、承認内訳を顧客に案内する(ステップ４０８、４１０)。
【００２５】
前記移動通信端末機１０８が赤外線通信を通じて仮想キャッシュカードの識別情報を送信するように構成されていると、 前記移動通信端末機１０８は、金融自動化機器１０４が接続される際に仮想キャッシュカードの識別情報を金融自動化機器１０４に転送する(ステップ４１２、４１４)。
【００２６】
前述したように、移動通信端末機１０８の承認要請による仮想キャッシュカードシステム１００の動作を図６を参照して説明する。
【００２７】
前記仮想キャッシュカードシステム１００は、移動通信端末機１０８から承認要請が発生すると(ステップ５００)、 当該の顧客の仮想キャッシュカード情報に対する認証を行った後、 金融機関１１２に接続して、前記顧客の仮想キャッシュカードに連携された母口座に引出が要望された金額が預置されているかを確認する(ステップ５０２)。前記仮想キャッシュカードシステム１００は、前記母口座に引出が要望された金額が預置されていれば、 当該の仮想キャッシュカードの情報に引出金額及び引出期間に対する情報を追加する(ステップ５０４)。ここで、 前記仮想キャッシュカードシステム１００の仮想キャッシュカードの情報は、図８の(a)のように、顧客IDと、仮想キャッシュカードの識別情報と、母口座番号と、母口座の有効期間と、 引出金額と、引出期間とから構成され、前記引出金額、引出期間は０に初期化されている。前記承認要請時に、図８の(b)のように、前記引出金額及び引出期間が提供されると、前記仮想キャッシュカードシステム１００は、前記仮想キャッシュカードの情報に引出金額、引出期間を追加する。
【００２８】
そして、前記仮想キャッシュカードの情報に引出金額、 引出期間が付与された場合に、 前記仮想キャッシュカードシステム１００は、前記引出期間の間、他の媒体を通じて前記引出金額が前記母口座から引出されないように前記金融機関１１２に要請する。
【００２９】
前述したように、仮想キャッシュカードの情報に引出金額及び引出期間を追加した後、前記仮想キャッシュカードシステム１００は、前記移動通信端末機１０８に承認を通知する(ステップ５０６)。以降、前記仮想キャッシュカードシステム１００は、前記引出期間内に前記引出金額が引出されると、前記仮想キャッシュカードの情報の引出金額及び引出期間に対する情報を初期化し、 前記引出金額が引出されていない状態で前記引出期間が満了しても、前記仮想キャッシュカードシステム１００は、前記仮想キャッシュカードの情報の引出金額及び引出期間に対する情報を初期化する。前記仮想キャッシュカードシステム１００は、前記仮想キャッシュカードの情報の引出金額及び引出期間に対する情報を初期化すると共に、前記母口座の引出制限を解除するように前記金融機関１１２に要請する(ステップ５０８乃至５１２)。
【００３０】
そして、本発明の望ましい実施例による金融自動化機器１０４の動作を図７を参照して説明すると、 前記金融自動化機器１０４は、前記顧客が決めておいた引出期間内に仮想キャッシュカードの識別情報を提供する場合に、 前記金融自動化機器１０４は、仮想キャッシュカードシステム１００の仮想キャッシュカード情報を参照して、当該の仮想キャッシュカードの引出期間内なのかを確認して、 前記引出期間内であれば、引出サービスを提供すると共に、取引明細表を出力する(ステップ６００、６０２)。ここで、前記仮想キャッシュカードの識別情報は、仮想キャッシュカード識別情報認識装置２０４を通じて入力されるか、 ユーザのキー操作によって入力されることができる。
【００３１】
そして、前記仮想クレジットカードのサービス方法を図９乃至図１１を参照して説明する。
【００３２】
仮想クレジットカードを提供されようとする顧客は、移動通信端末機１０８の仮想クレジットカードの設定プログラムを駆動して購買金額及び購買期間を設定し、暗証番号を入力する(ステップ７００乃至７０４)。前記移動通信端末機１０８は、前記顧客が入力した購買金額及び購買期間、暗証番号、仮想クレジットカードの識別情報を仮想クレジットカードシステム１０２に転送すると共に、承認を要請する(ステップ７０６)。前記移動通信端末機１０８は、前記承認要請後に、仮想クレジットカードシステム１０２が承認を通知すれば、承認内訳を顧客に案内する(ステップ７０８、７１０)。
【００３３】
前記移動通信端末機１０８が赤外線通信を通じて仮想クレジットカードの識別情報を送信するように構成されていると、 前記移動通信端末機１０８は、クレジットカード端末機１０６が接続される際に仮想クレジットカードの識別情報をクレジットカード端末機１０６に転送する(ステップ７１２、７１４)。
【００３４】
前述したように、移動通信端末機１０８の承認要請による仮想クレジットカードシステム１０２の動作を図１０を参照して説明する。
【００３５】
前記仮想クレジットカードシステム１０２は、移動通信端末機１０８から承認要請が発生すると(ステップ８００)、 当該の顧客の仮想クレジットカードの情報に対する認証を行った後、 カード社１１０に接続して前記顧客の仮想クレジットカードに連携された母クレジットカードの認証を行う(ステップ８０２)。前記仮想クレジットカードシステム１０２は、前記仮想クレジットカードの情報に購買金額及び購買期間に対する情報を追加する(ステップ８０４)。ここで、 前記仮想クレジットカードシステム１０２の仮想クレジットカードの情報は、図１２の(a)のように、顧客IDと、仮想クレジットカードの識別情報と、母クレジットカード番号と、母クレジットカードの有効期間と、購買金額と、購買期間とから構成され、前記購買金額、購買期間は０に初期化されている。前記承認要請時に、図１２の(b)のように、前記購買金額及び購買期間が提供されると、前記仮想クレジットカードシステム１０２は、図１２の(c)のように、前記仮想クレジットカードの情報に引出金額、引出期間を付与する。
【００３６】
そして、前記仮想クレジットカードの情報に購買金額、購買期間を付与した後、前記仮想クレジットカードシステム１０２は、前記移動通信端末機１０８に承認を通知する(ステップ８０６)。以降、前記仮想クレジットカードシステム１０２は、前記購買期間内に前記購買金額に対応する決済がなされると、前記仮想クレジットカードの情報の購買金額、購買期間に対する情報を初期化し、 前記購買金額に対応する決済がなされていない状態で前記購買期間が満了しても、前記仮想クレジットカードシステム１０２は、前記仮想クレジットカードの情報の購買金額及び購買期間に対する情報を初期化する。
【００３７】
そして、本発明の望ましい実施例によるクレジットカード端末機１０６の動作を図１１を参照して説明すると、 前記クレジットカード端末機１０６は、前記顧客が決めておいた購買期間内に仮想クレジットカードの識別情報を提供するか(ステップ９００)、 プラスチックカードの形態である仮想クレジットカードが読み取られるか(ステップ９０２)、 仮想クレジットカードの識別情報が入力される場合に(ステップ９０４)、 前記クレジットカード端末機１０６は、仮想クレジットカードシステム１０２の仮想クレジットカード情報を参照して、当該のクレジットカードの購買期間内なのかを確認して、前記購買期間内であれば、当該の購買金額に対応するカード決済サービスを提供すると共に、取引明細表を出力する(ステップ９０６)。
【００３８】
前述した本発明の望ましい実施例による仮想キャッシュカードサービスの過程を顧客の立場で図１３を参照して改めて説明する。顧客が移動通信端末機の表示窓に表示された仮想キャッシュカードの設定案内を見て、仮想キャッシュカードの口座の引出金額と引出期間を設定し、口座の暗証番号を入力して、仮想キャッシュカードシステムに出金要請を行う。このような出金要請に応答して、仮想キャッシュカードシステムは、顧客に保安カード番号を要請し、 前記要請に応じて、顧客は、移動通信端末機を利用して保安カード番号を入力する。前記移動通信端末機は、前記顧客が入力した保安カード番号を仮想キャッシュカードシステムに転送し、 前記仮想キャッシュカードシステムは、保安カード番号などを通じてユーザ認証を行う。前記ユーザ認証に成功すると、前記仮想キャッシュカードシステムは、顧客の選択によって引出金額及び引出期間を付加し、 認証承認メッセージを前記移動通信端末機に提供する。前記移動通信端末機は、前記承認に応答して顧客に引出期間内に引出金額を引出するように案内する。
【００３９】
前記案内に応じて、顧客が金融自動化機器に当該の仮想キャッシュカードの識別情報を入力して引出を行うと、 前記仮想キャッシュカードシステムは、仮想キャッシュカードの情報の引出金額及び引出期間を初期化する。
【００４０】
そして、仮想クレジットカードサービスの方法を顧客の立場で図１４及び図１５を参照して改めて説明する。顧客は、移動通信端末機を利用して購買金額及び購買期間、暗証番号を入力して仮想クレジットカードシステムに決済要請を行う。前記仮想クレジットカードシステムは、前記決済要請に応じて認証を行い、その認証に成功すると、顧客が選択した購買金額及び購買期間を仮想クレジットカードの情報に付加し、移動通信端末機に仮想クレジットカードの使用を案内する。前記案内に応じて、顧客が購買期間内にクレジットカード端末機を通じて決済を要請すると、 前記仮想クレジットカードシステムは、カード社に接続して母クレジットカードに対するユーザ認証及び承認番号を得て、クレジットカード端末機に提供する。前記承認番号を得たクレジットカード端末機は伝票を出力し、 前記承認番号の転送を完了した仮想クレジットカードシステムは、仮想クレジットカードの情報の購買金額及び購買期間を初期化する。
【００４１】
前述したことと異なり、加盟店を指定して仮想クレジットカードサービスを提供されるためには、前記顧客は、移動通信端末機を利用して購買金額及び購買期間、 暗証番号、 加盟店番号を入力して仮想クレジットカードシステムに決済要請を行う。前記仮想クレジットカードシステムは、前記決済要請に応じて、顧客及び加盟店の認証を行い、その認証に成功すると、ユーザが選択した購買金額及び購買期間を仮想クレジットカードの情報に付加し、カード社に母クレジットカードに対するユーザ認証及び承認番号の転送を要請する。前記カード社から承認番号が提供されると、前記仮想クレジットカードシステムは、当該の加盟店に対し承認番号をクレジットカード端末機に提供する。前記承認番号を得たクレジットカード端末機は伝票を出力し、 前記承認番号の転送を完了した仮想クレジットカードシステムは、仮想クレジットカードの情報の購買金額及び購買期間を初期化する。
【００４２】
前述した例と異なり、一つの母口座又は母クレジットカードに多数の仮想カードを付与することもでき、これを図１６を参照して説明する。
【００４３】
前記マスター仮想カードのユーザ端末機(A)及び多数のスレーブ仮想カードのユーザ端末機(B１〜BN)には、それぞれ一つ又はそれ以上の仮想カードが付与される。前記マスター仮想カードのユーザ端末機(A)は、多数のスレーブ仮想カードのユーザ端末機(B１〜BN)と連携され、 前記マスター仮想カードのユーザ端末機(A)のユーザは、任意又は前記多数のスレーブ仮想カードのユーザ端末機(B１〜BN)の要請に応答して、前記多数のスレーブ仮想カードのいずれか一つに対する使用金額及び使用期間を選択し、これに対する承認要請を仮想カードシステム(C)に要請する。前記仮想カードシステム(C)は、前記要請に応じて、前記マスターカードの母口座又は母クレジットカードを認証し、 前記認証に成功すると、前記多数のスレーブ仮想カードのうち選択されたスレーブ仮想カードに対する情報に使用金額及び使用期間を格納した後、マスター仮想カードのユーザ端末機(A)及び選択されたスレーブ仮想カードのユーザ端末機に承認を報知する。前記報知後に、前記選択されたスレーブ仮想カードの識別情報が前記使用期間内にクレジットカード端末機又は金融自動化機器に入力されると、クレジットカード決済又は引出がなされる。
【産業上の利用可能性】
【００４４】
上述したように、本発明は、顧客が決めた期間の間のみに顧客が決めた金額が引出されるか、信用決済されることのできる仮想カードを提供することで、 カード盗用及び紛失の危険を予防することができ、 前記仮想カードに対するカード識別情報を金融自動化機器に手軽く入力できるようにすることで、 金融自動化機器の利用時間及び個人情報の露出の危険を最小化することができるという利点がある。
【００４５】
また、本発明は、仮想カードを通じて保安を維持しながらも容易に使用することができるという利点がある。
【図面の簡単な説明】
【００４６】
【図１】本発明の望ましい実施例による仮想カードサービスシステムの構成図であう。
【図２】本発明の望ましい実施例による金融自動化機器の構成図である。
【図３】本発明の望ましい実施例によるクレジットカード端末機の構成図である。
【図４】本発明の望ましい実施例による仮想カードの発給過程を示す図面である。
【図５】本発明の望ましい実施例による仮想キャッシュカードサービス方法のフローチャート。
【図６】本発明の望ましい実施例による仮想キャッシュカードサービス方法のフローチャート。
【図７】本発明の望ましい実施例による仮想キャッシュカードサービス方法のフローチャート。
【図８】本発明の望ましい実施例による仮想キャッシュカード情報の処理過程を示す図面である。
【図９】本発明の望ましい実施例による仮想キャッシュカード情報の処理過程を示す図面である。
【図１０】本発明の望ましい実施例による仮想キャッシュカード情報の処理過程を示す図面である。
【図１１】本発明の望ましい実施例による仮想クレジットカードサービス方法のフローチャート。
【図１２】本発明の望ましい実施例による仮想クレジットカード情報の処理過程を示す図面である。
【図１３】本発明の望ましい実施例による仮想カードサービスの手続きを示す図面である。
【図１４】本発明の望ましい実施例による仮想カードサービスの手続きを示す図面である。
【図１５】本発明の望ましい実施例による仮想カードサービスの手続きを示す図面である。
【図１６】本発明の望ましい実施例による多数の仮想カードに対するサービスの手続きを示す図面である。
【符号の説明】
【００４７】
１００    仮想キャッシュカードシステム
１０２    仮想クレジットカードシステム
１０４    金融自動化機器
１０６    クレジットカード端末機
１０８    移動通信端末機
１１２    金融機関
２００    制御部
２０２    ユーザインターフェース
２０４    仮想キャッシュカード識別情報認識装置
２０６    メモリ部
２０８    ネットワークインターフェース
【図１】
2006500681.tif 000003
【図２】
2006500681.tif 000004
【図３】
2006500681.tif 000005
【図４】
2006500681.tif 000006
【図５】
2006500681.tif 000007
【図６】
2006500681.tif 000008
【図７】
2006500681.tif 000009
【図８】
2006500681.tif 000010
【図９】
2006500681.tif 000011
【図１０】
2006500681.tif 000012
【図１１】
2006500681.tif 000013
【図１２】
2006500681.tif 000014
【図１３】
2006500681.tif 000015
【図１４】
2006500681.tif 000016
【図１５】
2006500681.tif 000017
【手続補正書】
【提出日】平成16年9月21日(2004.9.21)
【手続補正１】
【補正対象書類名】特許請求の範囲
【補正対象項目名】全文
【補正方法】変更
【補正の内容】
【特許請求の範囲】
【請求項１】
仮想カードサービスシステムにおいて、
仮想キャッシュカードに対して引出金額及び引出期間を選択されて転送するユーザ端末機と、
前記ユーザ端末機から前記引出金額及び前記引出期間が提供されると、 前記仮想キャッシュカードに対応付けて予め決めておいた母口座に前記引出金額が預置されているかを確認し、前記引出金額が前記母口座に預置されていると、前記引出金額及び前記引出期間に対する情報を格納した後、前記ユーザ端末機に承認を報知する仮想キャッシュカードシステムと、
前記仮想キャッシュカードの識別情報が入力されると、前記仮想キャッシュカードシステムに格納された前記引出期間内なのかを確認して、 前記引出期間内であれば、前記引出金額を前記母口座から引出する金融自動化機器とを具備し、
前記ユーザ端末機から前記引出金額及び前記引出期間が提供されると、
引出金額及び引出期間が初期化されている仮想キャッシュカードの情報に前記引出金額及び前記引出期間を付加し、
前記引出金額が前記引出期間内に引出されるか、前記引出期間が満了すると、前記仮想キャッシュカードの情報の引出金額及び引出期間を初期化させることを特徴とする仮想カードサービスシステム。
【請求項２】
前記仮想キャッシュカードシステムが、
前記仮想キャッシュカード識別番号による引出要請ではない場合は、前記格納された引出期間の間、前記母口座から前記格納された引出金額が引出されないように金融機関に要請することを特徴とする請求項１に記載の仮想カードサービスシステム。
【請求項３】
前記仮想キャッシュカードの識別情報は、
前記ユーザ端末機が無線通信して入力するか、
前記ユーザ端末機に取り付けられたバーコード又はマグネチックテープ、 ICチップを読み取るようにするか、
前記顧客がキー入力することを特徴とする請求項１に記載の仮想カードサービスシステム。
【請求項４】
仮想カードサービスシステムにおいて、
仮想クレジットカードに対して購買金額及び購買期間を選択されて転送するユーザ端末機と、
前記ユーザ端末機から前記購買金額及び前記購買期間が提供されると、 前記仮想クレジットカードに対応付けて予め決めておいた母クレジットカードを認証し、その認証が成功すると、前記購買金額及び前記購買期間に対する情報を格納した後、前記ユーザ端末機に承認を報知する仮想クレジットカードシステムと、
前記仮想クレジットカードの識別情報が入力されると、前記仮想クレジットカードシステムに格納された前記購買期間内なのかを確認し、 前記購買期間内であれば、前記購買金額を前記母クレジットカードで決済処理するクレジットカード端末機とを具備し、
前記ユーザ端末機から前記購買金額及び前記購買期間が提供されると、
購買金額及び購買期間が初期化されている仮想クレジットカードの情報に前記購買金額及び前記購買期間を付加し、
前記購買金額が前記購買期間内に信用決済されるか、前記購買期間が満了すると、前記仮想クレジットカードの情報の購買金額及び購買期間を初期化させることを特徴とする仮想カードサービスシステム。
【請求項５】
前記仮想クレジットカードの識別情報は、
前記ユーザ端末機が無線通信して入力するか、
前記ユーザ端末機に取り付けられたバーコード又はマグネチックテープ、 ICチップを読み取るようにするか、
前記顧客がキー入力することを特徴とする請求項４に記載の仮想カードサービスシステム。
【請求項６】
仮想カードサービス方法において、
ユーザ端末機を通じて仮想キャッシュカードに対する引出金額及び引出期間を選択されて転送するステップと、
前記引出金額及び前記引出期間が提供されると、前記仮想キャッシュカードに対応付けて予め決めておいた母口座に前記引出金額が預置されているかを確認し、 前記引出金額が前記母口座に預置されていると、前記引出金額及び前記引出期間に対する情報を格納した後、前記ユーザ端末機に承認を報知するステップと、
前記承認が報知された後、前記仮想キャッシュカードの識別情報が金融自動化機器に入力されると、前記格納された前記引出期間内なのかを確認し、前記引出期間内であれば、前記引出金額を前記母口座から引出するステップとを具備することを特徴とする仮想カードサービス方法。
【請求項７】
仮想カードサービス方法において、
ユーザ端末機を通じて仮想クレジットカードに対して購買金額及び購買期間を選択されて転送するステップと、
前記ユーザ端末機から前記購買金額及び前記購買期間が仮想クレジットカードシステムに提供されると、 前記仮想クレジットカードに対応付けて予め決めておいた母クレジットカードを認証した後、前記購買金額及び前記購買期間に対する情報を格納した後、前記ユーザ端末機に承認を報知するステップと、
前記承認の後に、仮想クレジットカードの識別情報がクレジットカード端末機に入力されると、前記購買期間内なのかを確認し、前記購買期間内であれば、前記購買金額を前記母クレジットカードで決済処理するステップとを具備することを特徴とする仮想カードサービス方法。
【請求項８】
仮想カードサービス方法において、
ユーザ端末機を通じて仮想クレジットカードに対して購買金額及び購買期間、 加盟店情報を選択されて転送するステップと、
前記ユーザ端末機から前記購買金額及び前記購買期間、 前記加盟店情報が仮想クレジットカードシステムに提供されると、前記仮想クレジットカードシステムが前記仮想クレジットカードに対応付けて予め決めておいた母クレジットカード及び前記加盟店情報に対応される加盟店を認証し、 その認証に成功すると、前記購買金額及び前記購買期間に対する情報を格納した後、前記ユーザ端末機に承認を報知するステップと、
前記承認の後に、仮想クレジットカードシステムが前記加盟店内に設けられたクレジットカード端末機で購買内訳が含まれた取引明細票を出力するように指示するステップとを具備することを特徴とする仮想カードサービス方法。
【請求項９】
仮想カードサービスシステムにおいて、
一つの母口座又は母クレジットカードに付与された多数の仮想カード中、マスターカードのユーザから前記多数の仮想カードのいずれか一つに対する使用金額及び使用期間を選択されて転送するユーザ端末機と、
前記ユーザ端末機から前記多数の仮想カードのうちの選択された仮想カードに対する使用金額及び使用期間が提供されると、前記マスターカードの母口座又は母クレジットカードを認証し、前記認証に成功すると、前記多数の仮想カードのうちの選択された仮想カードに対する情報に使用金額及び使用期間を格納した後、前記ユーザ端末機に承認を報知する仮想カードシステムと、
前記承認の後に、前記選択された仮想カードの識別情報が入力されると、前記仮想カードシステムに格納された使用期間内なのかを確認し、 前記使用期間内であれば、前記使用金額に対して引出又は決済するカードサービス機器とを具備することを特徴とする 仮想カードサービスシステム。
【請求項１０】
前記ユーザ端末機は、
前記多数の仮想カードのユーザ端末機のいずれか一つからの認証要請に応じて当該の仮想カードの使用金額及び使用期間を選択して転送することを特徴とする請求項９に記載の仮想カードサービスシステム。
【請求項１１】
仮想カードサービス方法において、
一つの母口座又は母クレジットカードに付与された多数の仮想カード中、マスターカードのユーザ端末機から前記多数の仮想カードのいずれか一つに対する使用金額及び使用期間を選択されて転送するステップと、
前記ユーザ端末機から前記多数の仮想カードのうちの選択された仮想カードに対する使用金額及び使用期間が提供されると、前記マスターカードの母口座又は母クレジットカードを認証し、 前記認証に成功すると、前記多数の仮想カードのうちの選択された仮想カードに対する情報に使用金額及び使用期間を格納した後、前記ユーザ端末機に承認を報知するステップと、
前記承認の後に、前記選択された仮想カードの識別情報が入力されると、前記格納された使用期間内なのかを確認し、 前記使用期間内であれば、前記使用金額に対して引出又は決済するステップとを具備することを特徴とする仮想カードサービス方法。
【請求項１２】
前記マスターカードのユーザ端末機は、前記多数の仮想カードのユーザ端末機のいずれか一つからの認証要請に応じて当該の仮想カードの使用金額及び使用期間を選択して転送することを特徴とする請求項１１に記載の仮想カードサービス方法。
【国際調査報告】
2006500681.tif 000018